(57)【要約】【課題】リモコンと連携して表示装置の電源ＯＮ／ＯＦＦを制御する電源制御システムにおいて、ユーザがリモコンを持ち上げたときなど、電源ボタンが押下される前のタイミングで、表示装置の電源をＯＮすると共に、画面を黒ミュートの状態にする。【解決手段】電源制御システムは、液晶テレビジョン装置１と、リモコン２とを備える。リモコン２は、筐体が持ち上げられたときの傾きを検出する手段と、前記筐体の傾きを検出したときに所定の操作信号を液晶テレビジョン装置１に送信する手段とを備える。液晶テレビジョン装置１は、リモコン２から所定の操作信号を受信する手段と、電源のＯＮ／ＯＦＦを制御する電源手段と、映像信号に黒ミュート信号を重畳する黒ミュート信号重畳手段と、前記所定の操作信号に従って前記電源手段に電源ＯＮを指示すると共に、前記黒ミュート重畳手段に黒ミュート信号の重畳を指示する手段とを備える。【選択図】図１
2007088753.tif 000002
【特許請求の範囲】
【請求項１】
映像を表示する表示装置と、該表示装置を遠隔操作する遠隔操作装置とを備え、前記表示装置の電源を制御する電源制御システムにおいて、前記遠隔操作装置は、該遠隔操作装置の筐体の傾きを検出する傾き検出手段と、前記筐体の傾きを検出したときに所定の操作信号を前記表示装置に送信する操作信号送信手段とを備え、前記表示装置は、前記遠隔操作装置から所定の操作信号を受信する操作信号受信手段と、電源のＯＮ／ＯＦＦを制御する電源手段と、映像信号に黒ミュート信号を重畳する黒ミュート信号重畳手段と、前記所定の操作信号に従って前記電源手段に電源ＯＮを指示すると共に、前記黒ミュート重畳手段に黒ミュート信号の重畳を指示する制御手段とを備えていることを特徴とする電源制御システム。
【請求項２】
請求項１に記載の電源制御システムにおいて、前記表示装置は、前記遠隔操作装置から所定の操作信号を受信したときに、前記電源手段に電源ＯＮを指示するかどうかを設定するための手段を備えていることを特徴とする電源制御システム。
【請求項３】
請求項１又は２に記載の電源制御システムにおいて、前記制御手段は、前記遠隔操作装置から所定の操作信号を受信した時点から所定時間内で、前記遠隔操作装置から次の操作信号を受信した場合、前記黒ミュート信号重畳手段に黒ミュート信号の重畳解除を指示することを特徴とする電源制御システム。
【請求項４】
請求項１又は２に記載の電源制御システムにおいて、前記制御手段は、前記遠隔操作装置から所定の操作信号を受信した時点から所定時間以上、前記遠隔操作装置から次の操作信号が受信されない場合、前記電源手段に電源ＯＦＦを指示することを特徴とする電源制御システム。
【請求項５】
請求項１又は２に記載の電源制御システムにおいて、前記遠隔操作装置は、前記表示装置に接続された電子機器と通信可能とし、前記筐体の傾きを検出したときに所定の操作信号を前記電子機器に送信することにより、前記電子機器の電源をＯＮに制御できるようにしたことを特徴とする電源制御システム。
【請求項６】
請求項５に記載の電源制御システムにおいて、前記表示装置は、前記遠隔操作装置から送信される所定の操作信号により電源をＯＮする機器を、前記表示装置及び該表示装置に接続された電子機器の中から選択的に設定するための手段を備えていることを特徴とする電源制御システム。
【請求項７】
請求項５又は６に記載の電源制御システムにおいて、前記表示装置に接続された電子機器の少なくとも１つは、記録再生装置であることを特徴とする電源制御システム。
【請求項８】
請求項１又は２に記載の電源制御システムにおいて、前記表示装置は、該表示装置の近くにいる人体を検知するための検知手段を備え、前記制御手段は、前記人体を検知したときに前記電源手段に電源ＯＮを指示すると共に、前記黒ミュート重畳手段に黒ミュート信号の重畳を指示することを特徴とする電源制御システム。
【請求項９】
筐体が傾いたときに所定の操作信号を送信する遠隔操作装置と通信可能な表示装置において、前記遠隔操作装置から所定の操作信号を受信する操作信号受信手段と、電源のＯＮ／ＯＦＦを制御する電源手段と、映像信号に黒ミュート信号を重畳する黒ミュート信号重畳手段と、前記所定の操作信号に従って前記電源手段に電源ＯＮを指示すると共に、前記黒ミュート重畳手段に黒ミュート信号の重畳を指示する制御手段とを備えていることを特徴とする表示装置。
【請求項１０】
映像を表示する表示装置において、該表示装置の近くにいる人体を検知するための検知手段と、電源のＯＮ／ＯＦＦを制御する電源手段と、映像信号に黒ミュート信号を重畳させる黒ミュート重畳手段と、前記人体を検知したときに前記電源手段に電源ＯＮを指示すると共に、前記黒ミュート重畳手段に黒ミュート信号の重畳を指示する制御手段とを備えていることを特徴とする表示装置。
【請求項１１】
電子機器を遠隔操作するための遠隔操作装置において、該遠隔操作装置の筐体の傾きを検出する傾き検出手段と、前記筐体の傾きを検出したときに所定の操作信号を前記電子機器に送信する操作信号送信手段とを備え、前記所定の操作信号により前記電子機器の電源のＯＮ／ＯＦＦを制御することを特徴とする遠隔操作装置。
【発明の詳細な説明】
【技術分野】
【０００１】
本発明は、電源制御システム、表示装置、及び遠隔操作装置、より詳細には、遠隔操作装置（リモコン）と連携して表示装置の電源ＯＮ／ＯＦＦを制御する電源制御システム、表示装置、及び遠隔操作装置に関する。
【背景技術】
【０００２】
液晶表示装置は、電源をＯＮにしてから、画面に映像が表示されるまでに数秒程度（約７〜９秒程度）かかることが知られている。これは、装置の立ち上げ時に３次元ＹＣ分離などのデジタル処理を行っているためで、この表示待ち時間は、特に、画面サイズが大きいほど顕著になる傾向がある。最近の液晶表示装置においては、画面サイズの大型化がますます進んでおり、上記表示待ち時間の問題は無視できないものとなっている。
【０００３】
また、ＤＶＤドライブやＨＤＤなどを備えるレコーダでも、電源をＯＮにしてから、記録を開始できるようになるまでに数十秒程度の待ち時間が発生する。特に、ＤＶＤドライブの場合、記録開始までに約２０〜３０秒程度の準備時間が発生する。この準備時間の間に、各ドライブのモータの駆動を安定させるための処理を行っている。
【０００４】
このような問題に対して、ユーザが待ち時間を意識しないですむように、電源ボタンが押下される前のタイミングで、事前に液晶表示装置などの電子機器の電源をＯＮにして立ち上げておくことが考えられる。例えば、特許文献１には、リモコンを持ち上げることにより、テレビなどの電子機器の電源ＯＮにできるシステムが開示されている。これは、操作者がリモコンを持ち上げることにより、傾き検出部がリモコンが傾いたことを検知し、電源制御アダプタへ電源ＯＮコマンドを送信し、電源制御アダプタがＯＮ状態になる。これにより、電力制御アダプタが稼動し、電力制御部が商用電力線の電力を各電力供給線へ出力し、テレビ、ビデオ、オーディオ装置へ電力が供給される。
【特許文献１】特開２０００−３７０４５号公報
【発明の開示】
【発明が解決しようとする課題】
【０００５】
上記特許文献１に記載の発明は、電源制御アダプタを各電子機器に接続し、リモコンが傾いたことをトリガとして、電源制御アダプタをＯＮ状態とし、この電源制御アダプタからの制御に基づいて各電子機器に電力を供給するようにしているが、上記電子機器として液晶テレビが接続されている場合、例えば、リモコンにユーザの指が当たっただけでも、電源制御アダプタがＯＮされ、液晶テレビに電力が供給されるため、数秒で画面に映像が表示されてしまうことになる。ユーザからすると、たまたまリモコンに指が当たっただけなのに、液晶テレビの画面に突然映像が表示されることになり、なぜ映像が表示されたかわからずにユーザを困惑させてしまうことになる。また、リモコンと電子機器との間に電源制御アダプタが別途必要なため、システムの構成が複雑になり、コストもかかることになる。
【０００６】
本発明は、上述のごとき実情に鑑みてなされたものであり、リモコンと連携して表示装置の電源ＯＮ／ＯＦＦを制御する電源制御システムにおいて、ユーザがリモコンを持ち上げたときなど、電源ボタンが押下される前のタイミングで、表示装置の電源をＯＮすると共に、画面を黒ミュートの状態にして映像を表示させないようにすること、を目的とする。
【課題を解決するための手段】
【０００７】
上記課題を解決するために、本発明の第１の技術手段は、映像を表示する表示装置と、該表示装置を遠隔操作する遠隔操作装置とを備え、前記表示装置の電源を制御する電源制御システムにおいて、前記遠隔操作装置は、該遠隔操作装置の筐体の傾きを検出する傾き検出手段と、前記筐体の傾きを検出したときに所定の操作信号を前記表示装置に送信する操作信号送信手段とを備え、前記表示装置は、前記遠隔操作装置から所定の操作信号を受信する操作信号受信手段と、電源のＯＮ／ＯＦＦを制御する電源手段と、映像信号に黒ミュート信号を重畳する黒ミュート信号重畳手段と、前記所定の操作信号に従って前記電源手段に電源ＯＮを指示すると共に、前記黒ミュート重畳手段に黒ミュート信号の重畳を指示する制御手段とを備えていることを特徴としたものである。
【０００８】
第２の技術手段は、第１の技術手段において、前記表示装置は、前記遠隔操作装置から所定の操作信号を受信したときに、前記電源手段に電源ＯＮを指示するかどうかを設定するための手段を備えていることを特徴としたものである。
【０００９】
第３の技術手段は、第１又は第２の技術手段において、前記制御手段は、前記遠隔操作装置から所定の操作信号を受信した時点から所定時間内で、前記遠隔操作装置から次の操作信号を受信した場合、前記黒ミュート信号重畳手段に黒ミュート信号の重畳解除を指示することを特徴としたものである。
【００１０】
第４の技術手段は、第１又は第２の技術手段において、前記制御手段は、前記遠隔操作装置から所定の操作信号を受信した時点から所定時間以上、前記遠隔操作装置から次の操作信号が受信されない場合、前記電源手段に電源ＯＦＦを指示することを特徴としたものである。
【００１１】
第５の技術手段は、第１又は第２の技術手段において、前記遠隔操作装置は、前記表示装置に接続された電子機器と通信可能とし、前記筐体の傾きを検出したときに所定の操作信号を前記電子機器に送信することにより、前記電子機器の電源をＯＮに制御できるようにしたことを特徴としたものである。
【００１２】
第６の技術手段は、第５の技術手段において、前記表示装置は、前記遠隔操作装置から送信される所定の操作信号により電源をＯＮする機器を、前記表示装置及び該表示装置に接続された電子機器の中から選択的に設定するための手段を備えていることを特徴としたものである。
【００１３】
第７の技術手段は、第５又は第６の技術手段において、前記表示装置に接続された電子機器の少なくとも１つは、記録再生装置であることを特徴としたものである。
【００１４】
第８の技術手段は、第１又は第２の技術手段において、前記表示装置は、該表示装置の近くにいる人体を検知するための検知手段を備え、前記制御手段は、前記人体を検知したときに前記電源手段に電源ＯＮを指示すると共に、前記黒ミュート重畳手段に黒ミュート信号の重畳を指示することを特徴としたものである。
【００１５】
第９の技術手段は、筐体が傾いたときに所定の操作信号を送信する遠隔操作装置と通信可能な表示装置において、前記遠隔操作装置から所定の操作信号を受信する操作信号受信手段と、電源のＯＮ／ＯＦＦを制御する電源手段と、映像信号に黒ミュート信号を重畳する黒ミュート信号重畳手段と、前記所定の操作信号に従って前記電源手段に電源ＯＮを指示すると共に、前記黒ミュート重畳手段に黒ミュート信号の重畳を指示する制御手段とを備えていることを特徴としたものである。
【００１６】
第１０の技術手段は、映像を表示する表示装置において、該表示装置の近くにいる人体を検知するための検知手段と、電源のＯＮ／ＯＦＦを制御する電源手段と、映像信号に黒ミュート信号を重畳させる黒ミュート重畳手段と、前記人体を検知したときに前記電源手段に電源ＯＮを指示すると共に、前記黒ミュート重畳手段に黒ミュート信号の重畳を指示する制御手段とを備えていることを特徴としたものである。
【００１７】
第１１の技術手段は、電子機器を遠隔操作するための遠隔操作装置において、該遠隔操作装置の筐体の傾きを検出する傾き検出手段と、前記筐体の傾きを検出したときに所定の操作信号を前記電子機器に送信する操作信号送信手段とを備え、前記所定の操作信号により前記電子機器の電源のＯＮ／ＯＦＦを制御することを特徴としたものである。
【発明の効果】
【００１８】
本発明によれば、リモコンと連携して表示装置の電源ＯＮ／ＯＦＦを制御する電源制御システムにおいて、ユーザがリモコンを持ち上げたときなど、電源ボタンが押下される前のタイミングで、表示装置の電源をＯＮすると共に、画面を黒ミュートの状態にして映像を表示させないため、その後の操作がなされるまでに、表示装置の立ち上がり時間を短縮することができる。また、画面は黒ミュートされているため、ユーザからは意識されずに電源をＯＮにすることができる。また、表示装置がＯＮされた後、次の操作信号を所定時間受信しない場合には、自動的に電源をＯＦＦにするため、待機電力の消費を抑えることができる。
【発明を実施するための最良の形態】
【００１９】
図１は、本発明の一実施形態に係る電源制御システムの構成例を示す図で、電源制御システムは、映像を表示する液晶表示装置１、液晶表示装置１を遠隔操作するための遠隔操作装置（以下、リモコンという）２で構成されている。リモコン２には、液晶表示装置１の各機能（電源ＯＮ／ＯＦＦ、チャンネル選択、音量調整など）を操作するための操作ボタンが設けられており、ユーザが所望の操作ボタンを選択して押下すると、リモコン２はその操作ボタンに対応する操作信号を送信し、液晶表示装置１を遠隔操作することができる。リモコン２の信号送信方式は、例えば、赤外線方式、電波方式等を利用することができる。なお、以下では、本発明の液晶表示装置１を、液晶テレビジョン装置（以下、液晶テレビジョン装置１という）に適用した場合を代表例として説明する。
【００２０】
本発明の電源制御システムは、リモコン２がユーザにより持ち上げられたときなど、リモコン２の筐体の傾きを検出すると、リモコン２から液晶テレビジョン装置１へ電源ＯＮを指示するための所定の操作信号が送信され、この操作信号を受信した液晶テレビジョン装置１は、電源をＯＮにして内部回路を立ち上げる。この際、画面は黒ミュートの状態として映像は表示させないように構成されている。
【００２１】
図２は、図１に示したリモコン２の内部構成例を示すブロック図で、リモコン２は、ユーザにより選択可能に設けられた操作ボタンからなる操作部２１と、各操作ボタンに対応した操作内容を記憶する記憶部２２と、リモコン２を構成する各部の動作を制御するマイクロコンピュータ（マイコン）２３と、リモコン２の筐体の傾きを検出する傾き検出部２４と、記憶部２２に記憶されている操作内容に応じた操作信号を送信する操作信号送信部２５と、を備えている。
【００２２】
傾き検出部２４は、リモコン２がユーザにより持ち上げられたときなど、リモコン２の筐体の傾き、すなわち、筐体の位置の移動や、筐体の姿勢の変化などを検出するためのセンサであって、筐体の傾きを検出すると、そのことを通知するための傾き信号をマイコン２３に出力する。傾き検出部２４のセンサとしては、例えば、傾斜センサ、加速度センサなどの各種センサを用いることができる。傾斜センサの場合、リモコン２が置かれたときの姿勢を基準として、移動や傾きを検出する。また、加速度センサの場合、リモコン２の移動や傾きに伴う加速度を検出することにより、移動や傾きを検出する。
【００２３】
また、傾き検出部２４の他の実施形態として、筐体の設置面（すなわち、リモコン２が置かれる面（床など）と平行で且つ該面に接する面）にプッシュスイッチを備える構成としてもよい。リモコン２が床などに置かれると設置面のプッシュスイッチが押下された状態となり、リモコン２が持ち上げられると、プッシュスイッチが元の状態（設置面から突起した状態）に戻り、持ち上げられたことを検出することができる。
【００２４】
マイコン２３は、傾き検出部２４から傾き信号が入力されると、液晶テレビジョン装置１に電源ＯＮを指示するための操作信号を生成し、生成した操作信号を液晶テレビジョン装置１に送信するように操作信号送信部２５を制御する。操作信号送信部２５は、マイコン２３からの制御に従って、液晶テレビジョン装置１に電源ＯＮを指示するための所定の操作信号を送信する。この操作信号は、例えば、電源ＯＮを指示するためのコマンド信号である。
【００２５】
図３は、図１に示した液晶テレビジョン装置１の内部構成例を示すブロック図で、液晶テレビジョン装置１は、リモコン２から送信されてくる操作信号を受信する操作信号受信部１１と、テレビジョン放送信号を受信するチューナ１２と、チューナ１２からの映像信号に黒ミュート信号を重畳する黒ミュート信号重畳部１３と、映像信号を表示するＬＣＤ（Ｌｉｑｕｉｄ  Ｃｒｙｓｔａｌ  Ｄｉｓｐｌａｙ：液晶ディスプレイ）などの液晶表示部１４と、液晶テレビジョン装置１を構成する各部の電源ＯＮ／ＯＦＦを制御する電源部１５と、液晶テレビジョン装置１を構成する各部を制御する制御部１６と、を備えている。
【００２６】
操作信号受信部１１は、リモコン２が持ち上げられたことをトリガとして、リモコン２から送信されてくる所定の操作信号（すなわち、電源ＯＮを指示するためのコマンド信号、以下、電源ＯＮ指示信号という）を受信する。制御部１６は、操作信号受信部１１からの電源ＯＮ指示信号を受け取り、受け取った電源ＯＮ指示信号に従って、電源部１５に、各部の電源ＯＮを指示する信号を出力すると共に、黒ミュート信号重畳部１３に、映像信号に黒ミュート信号を重畳するように指示する信号を出力する。なお、操作信号受信部１１と制御部１６には、リモコン２からの信号を受信するために、電力が供給されているものとする。
【００２７】
次に、電源部１５は、制御部１６からの指示に従って、各部の電源をＯＮに制御する。チューナ１２は、電源ＯＮされると、現在選局されているテレビジョン放送信号を受信し、その映像信号を黒ミュート信号重畳部１３に入力する。黒ミュート信号重畳部１３は、制御部１６からの指示に従って、チューナ１２からの映像信号に黒ミュート信号を重畳し、映像信号／黒ミュート信号を液晶表示部１４に入力する。液晶表示部１４は、入力された映像信号／黒ミュート信号を画面に表示するが、映像信号は黒ミュートされているため、画面に映像は表示されない。
【００２８】
さらに、制御部１６は、リモコン２から電源ＯＮ指示信号を受信した時点から所定時間内に、リモコン２から次の操作信号を受信した場合、黒ミュート信号重畳部１３に、黒ミュート信号の重畳解除を指示する信号を出力する。これにより、黒ミュートが解除されて映像が液晶表示部１４の画面上に表示される。なお、上記所定時間は、ユーザによって任意に設定することができる。
【００２９】
また、ユーザがテレビを視聴しない場合も考慮し、上述したような、リモコン２が持ち上げられたときに液晶テレビジョン装置１の電源をＯＮする機能の有効／無効を設定できるようにしてもよい。この場合、液晶テレビジョン装置１は、リモコン２から電源ＯＮ指示信号を受信したときに、電源部１５に各部の電源ＯＮを指示するかどうかを設定するための手段を備えるようにする。例えば、後述の図６に示すような設定画面を表示させて、ユーザにより電源ＯＮ機能の有効／無効を設定する方法が考えられる。
【００３０】
このように、リモコン２が持ち上げられたときに、液晶テレビジョン装置１の内部電源を立ち上げた状態（画面は黒ミュート）にすることで、その後の操作（例えば、リモコン２の電源ボタンが押下されるなど）がなされるまでに、液晶テレビジョン装置１の立ち上がり時間を短縮することができる。また、画面は黒ミュートされているため、ユーザからは意識されずに電源をＯＮにすることができるため、画面上に勝手に映像が表示されてユーザを困惑させることがなくなる。
【００３１】
また、液晶テレビジョン装置１の光源であるバックライトは、一般に冷陰極蛍光ランプ（ＣＣＦＬ：Ｃｏｌｄ  Ｃａｔｈｏｄｅ  Ｆｌｕｏｒｅｓｃｅｎｔ  Ｌａｍｐ）で構成され、このＣＣＦＬは、主として、ネオン、アルゴン、水銀等を蛍光管内に封入して構成されている。バックライトは、インバータの制御により電圧が印加され、蛍光管内部で放電する。このとき、水銀の励起により発生する紫外線が蛍光管の内壁に塗布された蛍光体に当たって発光する。一般に水銀の蒸気圧は低く、液晶テレビジョン装置１の起動時など、蛍光管の温度が低いと、ネオンとアルゴンの励起が支配的となり、赤外線が放出されることになる。従って、バックライトの点灯直後はリモコンからの赤外線信号を受光する感度が低下する傾向にある。
【００３２】
上記のような場合にも、本発明のように、事前に液晶テレビジョン装置１の内部電源を立ち上げた状態（画面は黒ミュート）にしておくことで、バックライトを構成する蛍光管を適切な温度に暖めておくことができ、その後の操作（リモコン２の電源ボタンが押下されるなど）がなされたときに、液晶テレビジョン装置１の信号受光感度を適切なレベルにしておくことができる。
【００３３】
ここで、上記のように液晶テレビジョン装置１の内部電源を立ち上げた後、ユーザがテレビを視聴しないケースも考えられる。この場合、液晶テレビジョン装置１を立ち上げた状態にしておくと、待機電力を消費してしまう。待機電力の消費を抑えるための対策として、制御部１６は、リモコン２から電源ＯＮ指示信号を受信した時点から所定時間以上、リモコン２から次の操作信号が受信されない場合、電源部１５に、各部の電源ＯＦＦを指示する信号を出力する。このように、液晶テレビジョン装置１がＯＮされた後、次の操作信号が所定時間以上受信されない場合には、自動的に電源をＯＦＦにするため、待機電力の消費を抑えることができる。
【００３４】
また、画面を黒ミュートする手段の他の実施形態として、制御部１６は、リモコン２から電源ＯＮ指示信号を受信したときに、液晶表示部１４を構成するバックライトのみ電源ＯＦＦのままにし、その他の回路を電源ＯＮにして立ち上げておいてもよい。すなわち、バックライトは消灯した状態で、その他の回路の電源はＯＮされた状態にする。この場合、制御部１６は、リモコン２から電源ＯＮ指示信号を受信した時点から所定時間内に、リモコン２から次の操作信号を受信した場合、電源部１５に、液晶表示部１４のバックライトの電源ＯＮを指示する信号を出力する。これにより、バックライトが点灯されて映像が液晶表示部１４の画面上に表示される。ただし、この実施形態では、リモコン２から次の操作信号を受信したときに、はじめてバックライトの電源をＯＮすることになるため、映像表示までに多少の待ち時間が発生することになる。
【００３５】
図４は、本発明の他の実施形態に係る電源制御システムの構成例を示す図で、電源制御システムは、液晶テレビジョン装置１、リモコン２、さらに、液晶テレビジョン装置１に接続された記録再生装置（以下、レコーダ）３で構成されている。前述したように、ＤＶＤドライブやＨＤＤなどを備えるレコーダは、電源をＯＮにしてから、記録を開始できるようになるまでに数十秒程度の待ち時間が発生する。特に、ＤＶＤドライブの場合、記録開始までに約２０〜３０秒程度の準備時間が発生する。
【００３６】
本実施形態では、リモコン２は、液晶テレビジョン装置１と接続されたレコーダ３と通信可能とし、リモコン２の筐体の傾きを検出したときに、電源ＯＮ指示信号をレコーダ３に送信し、レコーダ３の電源をＯＮに制御するようにしている。このレコーダ３は、液晶テレビジョン装置１と同様に、図示しない操作信号受信部、電源部、制御部を備える構成とする。操作信号受信部は、リモコン２が持ち上げられたことをトリガとして、リモコン２から送信されてくる電源ＯＮ指示信号を受信し、制御部は、受信した電源ＯＮ指示信号に従って、電源部に各部の電源ＯＮを指示する信号を出力する。なお、レコーダ３の上記処理を液晶テレビジョン装置１からの制御に基づいて行うようにしてもよい。
【００３７】
本実施形態では、液晶テレビジョン装置１の画面が黒ミュートの状態で、レコーダ３が備える光ピックアップの駆動電源を事前にＯＮにして立ち上げておくことができる。あるいは、液晶テレビジョン装置１の画面が黒ミュートの状態で、レコーダ３が備える光ピックアップの駆動電源を事前にＯＮにして立ち上げておき、さらに、レコーダ３のチューナを利用して記録を開始することができる。
【００３８】
レコーダ３は、液晶テレビジョン装置１に内蔵あるいは外付け接続されるか、あるいは、家庭内ネットワークを介して液晶テレビジョン装置１と接続するようにしてもよい。また、レコーダ３に限らず、他の電子機器、例えばゲーム機器などを液晶テレビジョン装置１に接続し、同様の機能（すなわち、リモコン２が持ち上げられたことをトリガとして、電源ＯＮにする機能）を実行できるようにしてもよい。
【００３９】
図５は、図１に示した液晶テレビジョン装置１の他の内部構成例を示すブロック図で、液晶テレビジョン装置１は、操作信号受信部１１、チューナ１２、黒ミュート信号重畳部１３、液晶表示部１４、電源部１５、制御部１６、さらに、液晶テレビジョン装置１の近くにいる人体を検知する検知センサ１７を備えている。検知センサ１７には、例えば、赤外線センサなどを用いることができる。本実施形態では、ユーザが液晶テレビジョン装置１の近くにきたら、テレビを視聴するであろうという予測に基づいて、液晶テレビジョン装置１の近くにユーザを検知したことをトリガに、液晶テレビジョン装置１の電源をＯＮにして立ち上げておく。
【００４０】
本実施形態において、検知センサ１７は、液晶テレビジョン装置１の近くにユーザを検知すると、その検知信号を制御部１６に入力する。制御部１６は、検知センサ１７から検知信号が入力されると、電源部１５に、各部の電源ＯＮを指示する信号を出力すると共に、黒ミュート信号重畳部１３に、映像信号に黒ミュート信号を重畳するように指示する信号を出力する。
【００４１】
次に、前述の図３に示した例と同様に、電源部１５は、制御部１６からの指示に従って、各部の電源をＯＮに制御する。チューナ１２は、電源ＯＮされると、現在選局されているテレビジョン放送信号を受信し、その映像信号を黒ミュート信号重畳部１３に入力する。黒ミュート信号重畳部１３は、制御部１６からの指示に従って、チューナ１２からの映像信号に黒ミュート信号を重畳し、映像信号／黒ミュート信号を液晶表示部１４に入力する。液晶表示部１４は、入力された映像信号／黒ミュート信号を画面に表示する。なお、映像信号は黒ミュートされているため、画面に映像は表示されない。
【００４２】
さらに、制御部１６は、リモコン２から電源ＯＮ指示信号を受信した後、所定時間内に、リモコン２から次の操作信号を受信した場合、黒ミュート信号重畳部１３に、黒ミュート信号の重畳解除を指示する信号を出力する。これにより、映像が液晶表示部１４の画面上に表示される。
【００４３】
このように、検知センサによって近くにいるユーザを検知したときに、液晶テレビジョン装置１の内部電源を立ち上げた状態（画面は黒ミュート）にすることで、その後の操作（例えば、リモコン２の電源ボタンが押下されるなど）がなされるまでに、液晶テレビジョン装置１の立ち上がり時間を短縮することができる。また、画面は黒ミュートされているため、ユーザからは意識されずに電源をＯＮにすることができる。
【００４４】
図６は、本発明の自動電源ＯＮ機能の有効／無効を設定するための画面例を示す図である。前述したように、ユーザがテレビを視聴しない場合も有り得るため、液晶テレビジョン装置１は、リモコン２が持ち上げられたことをトリガとして、リモコン２から電源ＯＮ指示信号を受信したときに、電源部１５に各部の電源ＯＮを指示するかどうかを設定するための画面を表示するようにしてもよい。この場合、図６に示す設定画面を表示させて、ユーザにより自動電源ＯＮ機能の有効／無効を設定できるようにする。なお、この設定画面は、制御部１６により生成され、液晶表示部１４の画面上に表示される。
【００４５】
図６に示す設定画面では、「リモコンが持ち上げられたときに内部電源をＯＮにする機能を有効にしますか？」、というメッセージが画面上に表示される。この画面上で、“ＹＥＳ”を選択すれば、自動電源ＯＮ機能が有効になり、“ＮＯ”を選択すれば、自動電源ＯＮ機能が無効になり、ユーザがリモコン２を持ち上げても液晶テレビジョン装置１の内部電源はＯＮにならないように設定される。
【００４６】
図７は、本発明の自動電源ＯＮ機能の有効／無効を各機器に設定するための画面例を示す図である。前述の図４に示したように、液晶テレビジョン装置１とレコーダ３とが接続されている場合、液晶テレビジョン装置１は、リモコン２から送信される電源ＯＮ指示信号により電源をＯＮする機器を、液晶テレビジョン装置１及び該液晶テレビジョン装置１に接続されたレコーダ３などの電子機器の中から選択的に設定するための設定画面を表示するようにしてもよい。図７に示す設定画面を表示させて、液晶テレビジョン装置１と液晶テレビジョン装置１に接続された各電子機器について、ユーザにより自動電源ＯＮ機能の有効／無効を設定できるようにする。なお、この設定画面は、制御部１６により生成され、液晶表示部１４の画面上に表示される。
【００４７】
図７に示す設定画面では、「リモコンが持ち上げられたときに内部電源をＯＮにする機能を設定して下さい。」、というメッセージが画面上に表示される。この画面上で、本例では、各電子機器、すなわち、テレビジョン装置，記録再生装置，ゲーム機器の自動電源ＯＮ機能の有効／無効が設定できる。上記各電子機器について、“ＯＮ”を選択すれば、該当する電子機器の自動電源ＯＮ機能が有効になり、“ＯＦＦ”を選択すれば、該当する電子機器の自動電源ＯＮ機能が無効になり、ユーザがリモコン２を持ち上げても当該電子機器の内部電源はＯＮにならないように設定される。
【００４８】
図８は、本発明に係るリモコン２の動作例を説明するためのフロー図である。まず、リモコン２は、筐体の傾きを検出したかどうかを判定し（ステップＳ１）、筐体の傾きを検出した場合（ＹＥＳの場合）、液晶テレビジョン装置１が既に電源ＯＮされているかどうかを判定し（ステップＳ２）、電源ＯＮされていない場合（ＮＯの場合）、所定の操作信号（電源ＯＮ指示信号）を液晶テレビジョン装置１に送信し（ステップＳ３）、ステップＳ１に戻る。また、上記ステップＳ１において、筐体の傾きを検出しない場合（ＮＯの場合）、上記ステップＳ２において、液晶テレビジョン装置１の電源が既にＯＮされている場合（ＹＥＳの場合）、ステップＳ１に戻る。
【００４９】
図９は、本発明に係る液晶テレビジョン装置１の動作例を説明するためのフロー図である。まず、液晶テレビジョン装置１は、リモコン２から所定の操作信号（電源ＯＮ指示信号）を受信したかどうかを判定し（ステップＳ１１）、電源ＯＮ指示信号を受信した場合（ＹＥＳの場合）、内部電源をＯＮし（ステップＳ１２）、映像信号に黒ミュート信号を重畳する（ステップＳ１３）。また、上記ステップＳ１１において、電源ＯＮ指示信号を受信しない場合（ＮＯの場合）、ステップＳ１１で信号受信待ち状態となる。
【００５０】
次に、液晶テレビジョン装置１は、電源ＯＮ指示信号を受信してから所定時間内に、リモコン２の電源ボタンに対応する次の操作信号を受信したかどうかを判定し（ステップＳ１４）、所定時間内に次の操作信号が受信されない場合（ＮＯの場合）、内部電源をＯＦＦにする（ステップＳ１５）。また、上記ステップＳ１４において、所定時間内に次の操作信号を受信した場合（ＹＥＳの場合）、黒ミュート信号の重畳を解除して映像を表示する（ステップＳ１６）。
【００５１】
本発明によれば、リモコンと連携して表示装置の電源ＯＮ／ＯＦＦを制御する電源制御システムにおいて、ユーザがリモコンを持ち上げたときなど、電源ボタンが押下される前のタイミングで、表示装置の電源をＯＮすると共に、画面を黒ミュートの状態にして映像を表示させないため、その後の操作がなされるまでに、表示装置の立ち上がり時間を短縮することができる。また、画面は黒ミュートされているため、ユーザからは意識されずに電源をＯＮにすることができる。また、表示装置がＯＮされた後、次の操作信号を所定時間受信しない場合には、自動的に電源をＯＦＦにするため、待機電力の消費を抑えることができる。
【図面の簡単な説明】
【００５２】
【図１】本発明の一実施形態に係る電源制御システムの構成例を示す図である。
【図２】図１に示したリモコンの内部構成例を示すブロック図である。
【図３】図１に示した液晶テレビジョン装置の内部構成例を示すブロック図である。
【図４】本発明の他の実施形態に係る電源制御システムの構成例を示す図である。
【図５】図１に示した液晶テレビジョン装置の他の内部構成例を示すブロック図である。
【図６】本発明の自動電源ＯＮ機能の有効／無効を設定するための画面例を示す図である。
【図７】本発明の自動電源ＯＮ機能の有効／無効を各機器に設定するための画面例を示す図である。
【図８】本発明に係るリモコンの動作例を説明するためのフロー図である。
【図９】本発明に係る液晶テレビジョン装置の動作例を説明するためのフロー図である。
【符号の説明】
【００５３】
１…液晶表示装置（液晶テレビジョン装置）、２…遠隔操作装置（リモコン）、３…記録再生装置（レコーダ）、１１…操作信号受信部、１２…チューナ、１３…黒ミュート信号重畳部、１４…液晶表示部、１５…電源部、１６…制御部、１７…検知センサ、２１…操作部、２２…記憶部、２３…マイクロコンピュータ（マイコン）、２４…傾き検出部、２５…操作信号送信部。
【図１】
2007088753.tif 000003
【図２】
2007088753.tif 000004
【図３】
2007088753.tif 000005
【図４】
2007088753.tif 000006
【図５】
2007088753.tif 000007
【図６】
2007088753.tif 000008
【図７】
2007088753.tif 000009
【図８】
2007088753.tif 000010
【図９】
2007088753.tif 000011